(57)【要約】      （修正有）【課題】脚立内側の空間を有効に利用して該空間内に容易に工具袋を取り付けることができる脚立用工具袋を提供する。【解決手段】脚立用工具袋Ａは、略八字状に組み立てられた脚立Ｋの、水平方向に対向する一対の踏ざん部Ｋ１１、Ｋ１２の間に取り付けられる脚立用工具袋であって、各踏ざん部Ｋ１１、Ｋ１２に着脱自在に係合する少なくとも一対のフック体１１、１２（１３、１４）と、この一対のフック体の各フック体１１、１２、１３、１４に取り付けられ、上部に開口部２ａを有し、一対の踏ざん部Ｋ１１、Ｋ１２の間に懸架されると共に、脚立Ｋの幅寸法内に収まるように形成された工具袋本体２とを備えているものである。【選択図】図１
0003149979.tif 000002
【実用新案登録請求の範囲】
【請求項１】
略八字状に組み立てられた脚立の、水平方向に対向する一対の踏ざん部の間に取り付けられる脚立用工具袋であって、
前記各踏ざん部に着脱自在に係合する少なくとも一対のフック体と、
この一対のフック体の各フック体に取り付けられ、上部に開口部を有し、前記一対の踏ざん部の間に懸架されると共に、前記脚立の幅寸法内に収まるように形成された工具袋本体とを備えていることを特徴とする脚立用工具袋。
【請求項２】
各フック体は、断面略コ字状であり、該フック体の対向する一方の部位に雌ネジを形成し、この雌ネジに螺合する雄ネジ体を設け、この雄ネジ体の先端部と、前記フック体の対向する一方の部位と反対側の他方の部位との間に脚立の踏ざん部を挟持できるようにしたことを特徴とする請求項１記載の脚立用工具袋。
【請求項３】
工具袋本体は、一対のフック体が近接する方向に折り畳み可能に形成されていることを特徴とする請求項１または２記載の脚立用工具袋。
【請求項４】
工具袋本体は、開口部が矩形形状であり、フック体は、前記矩形形状の各辺の内、一対の対向する辺の両端部に取り付けられ、前記一対の対向する辺のそれぞれの略中央部近傍であって前記工具袋本体の上部に、手持ち孔が形成されていることを特徴とする請求項３記載の脚立用工具袋。
【請求項５】
工具袋本体は、防水部材で形成された袋体であることを特徴とする請求項１〜４のいずれか１項に記載の脚立用工具袋。
【考案の詳細な説明】
【技術分野】
【０００１】
本考案は、略八字状に組み立てられた脚立に取り付けられる脚立用工具袋に係り、特に、水平方向に対向する一対の踏ざん部の間に取り付けられるものに関する。
【背景技術】
【０００２】
脚立を用いて作業を行うに際し、ドライバーやネジなどの工具等を、必要に応じて簡易に出し入れできるように、略八字状に組み立てられた脚立の支柱側方に脚立用工具袋を着脱自在に取り付け、該工具袋に工具等を入れて作業を行っていた（例えば、特許文献１の図１参照）。
【先行技術文献】
【特許文献】
【０００３】
【特許文献１】特開平５−１４１１６５号公報
【考案の概要】
【考案が解決しようとする課題】
【０００４】
しかしながら、上述したような構成の脚立用工具袋にあっては、狭い作業スペースで使用した場合、工具袋が脚立の側方からはみ出してしまう分、脚立の設置の邪魔になり、使い勝手が非常に悪く、脚立の使用に支障を来すという問題点があった。
【０００５】
本考案は、上述した問題点を解決するためになされたものである。
【課題を解決するための手段】
【０００６】
請求項１に係る考案は、略八字状に組み立てられた脚立の、水平方向に対向する一対の踏ざん部の間に取り付けられる脚立用工具袋であって、前記各踏ざん部に着脱自在に係合する少なくとも一対のフック体と、この一対のフック体の各フック体に取り付けられ、上部に開口部を有し、前記一対の踏ざん部の間に懸架されると共に、前記脚立の幅寸法内に収まるように形成された工具袋本体とを備えている脚立用工具袋である。
【０００７】
請求項２に係る考案は、請求項１記載の脚立用工具袋において、各フック体は、断面略コ字状であり、該フック体の対向する一方の部位に雌ネジを形成し、この雌ネジに螺合する雄ネジ体を設け、この雄ネジ体の先端部と、前記フック体の対向する一方の部位と反対側の他方の部位との間に脚立の踏ざん部を挟持できるようにしたものである。
【０００８】
請求項３に係る考案は、請求項１または２記載の脚立用工具袋において、工具袋本体は、一対のフック体が近接する方向に折り畳み可能に形成されているものである。
【０００９】
請求項４に係る考案は、請求項３記載の脚立用工具袋において、工具袋本体は、開口部が矩形形状であり、フック体は、前記矩形形状の各辺の内、一対の対向する辺の両端部に取り付けられ、前記一対の対向する辺のそれぞれの略中央部近傍であって前記工具袋本体の上部に、手持ち孔が形成されているものである。
【００１０】
請求項５に係る考案は、請求項１〜４のいずれか１項に記載の脚立用工具袋において、工具袋本体は、防水部材で形成された袋体であるものである。
【考案の効果】
【００１１】
請求項１に記載の脚立用工具袋によれば、略八字状に組み立てられた脚立の、水平方向に対向する一対の踏ざん部の間に取り付けられる脚立用工具袋であって、前記各踏ざん部に着脱自在に係合する少なくとも一対のフック体と、この一対のフック体の各フック体に取り付けられ、上部に開口部を有し、前記一対の踏ざん部の間に懸架されると共に、前記脚立の幅寸法内に収まるように形成された工具袋本体とを備えているため、脚立内側の空間を有効に利用して該空間内に容易に工具袋を取り付けることができ、工具袋が脚立からはみ出していない分、狭い作業空間であっても容易に脚立を設置し、工具等を取り替える度、脚立を降りることなく効率良く作業を行うことができる。
【００１２】
請求項２に記載の考案によれば、請求項１記載の脚立用工具袋において、各フック体は、断面略コ字状であり、該フック体の対向する一方の部位に雌ネジを形成し、この雌ネジに螺合する雄ネジ体を設け、この雄ネジ体の先端部と、前記フック体の対向する一方の部位と反対側の他方の部位との間に脚立の踏ざん部を挟持できるようにしたため、簡易かつ確実に脚立用工具袋を脚立の踏ざん部に固定することができ、脚立用工具袋が誤って落下するのを防止することができる。
【００１３】
請求項３に記載の考案によれば、請求項１または２記載の脚立用工具袋において、工具袋本体は、一対のフック体が近接する方向に折り畳み可能に形成されているため、脚立用工具袋を取り付けたまま脚立の支柱を閉じることができ、脚立の移動時などの際に取り外す手間が省けて使い勝手が良い。
【００１４】
請求項４に記載の考案によれば、請求項３記載の脚立用工具袋において、工具袋本体は、開口部が矩形形状であり、フック体は、前記矩形形状の各辺の内、一対の対向する辺の両端部に取り付けられ、前記一対の対向する辺のそれぞれの略中央部近傍であって前記工具袋本体の上部に、手持ち孔が形成されているため、手持ち孔を掴んで脚立用工具袋を容易に脚立の踏ざん部に着脱させることができ、使い勝手が良い。
【００１５】
請求項５に記載の考案によれば、請求項１〜４のいずれか１項に記載の脚立用工具袋において、工具袋本体は、防水部材で形成された袋体であるため、濡れ雑巾などを入れても水が滴り落ちることがなく、脚立の設置面が汚れるのを防止することができる。
【図面の簡単な説明】
【００１６】
【図１】本考案に係る脚立用工具袋の概略的斜視図である。
【図２】図１のＸ矢視方向から見た概略図であり、一部を破断して示したものである。
【図３】図１の脚立用工具袋の使用状態を示した概略図であって、図３（ａ）は正面図を、図３（ｂ）は図３（ａ）のＺ矢視方向から見た側面図をそれぞれ示している。
【図４】図３（ｂ）のＹ１―Ｙ１線で切断した概略的断面図である。
【図５】図３（ｂ）のＹ２―Ｙ２線で切断した概略的断面図である。
【図６】図１の脚立用工具袋を折り畳んだ状態を示した概略的斜視図である。
【図７】図１の脚立用工具袋の使用状態を示した概略的正面図であって、脚立を折り畳んだ状態で一部を破断したものである。
【図８】図７の破断した一部を拡大して示した概略的正面図である。
【考案を実施するための形態】
【００１７】
本考案に係る脚立用工具袋の一実施例について、図１〜図８を参照して説明する。図１において、Ａは脚立用工具袋であり、脚立用工具袋Ａは、略八字状に組み立てられた脚立Ｋの、水平方向に対向する一対の踏ざん部Ｋ１１、Ｋ１２の間に取り付けられるものであって、概略的に、少なくとも一対のフック体（本実施例にあっては、図１〜図８において、二組の一対のフック体１１、１２および１３、１４を備えたものを例示）と、工具袋本体２とにより構成されている。
【００１８】
前述の一対のフック体の各フック体１１、１２、１３、１４（それぞれ、以下「フック体１」という）は、図３（ａ）に示したように、脚立Ｋの、水平方向に対向する一対の踏ざん部Ｋ１１、Ｋ１２のそれぞれに着脱自在に係合し、後記する工具袋本体２を支承するものである。
【００１９】
工具袋本体２は、図１、図２に示したように、フック体１に取り付けられ、上部に開口部２ａを有し、図３（ａ）に示したように、前述した一対の踏ざん部Ｋ１１、Ｋ１２の間に懸架されると共に、図３（ｂ）に示したように、脚立Ｋの幅寸法内に収まるように形成されているもので、例えば、工具袋本体２内に濡れ雑巾などを入れても水が滴り落ちないように、ビニールシートなどの防水部材で形成された袋体であり、この構成部材は、用途に応じて適宜選定することができる。
【００２０】
この工具袋本体２とフック体１との取り付けにあっては、例えば、工具袋本体２の開口部２ａが矩形形状である場合、図１、図２に示したように、この矩形形状の各辺の内、一対の対向する辺のそれぞれに沿って、アルミニウム等の金属板などで形成された長手形状の取付部材３を工具袋本体２に取り付け、各取付部材３の長手方向の両端部において、フック体１は、取付部材３にボルトナットで取り付けられている。なお、かかる構成の脚立用工具袋Ａにあっては、図１に示したように、前述した一対の対向する辺のそれぞれの略中央部近傍であって工具袋本体２の上部に、手で掴んで脚立Ｋに容易に着脱できるように、手持ち孔４、４を形成してもよい。
【００２１】
次に、上述したように構成される脚立用工具袋Ａの使用方法について、図３、図４を参照して説明する。図３（ａ）、（ｂ）は、脚立用工具袋Ａを脚立Ｋに取り付けた状態を示したもので、図３（ａ）は正面図、図３（ｂ）はＺ矢視方向から見た側面図であり、この取り付けにあっては、まず、図３（ａ）の仮想線で示した脚立用工具袋Ａを、略八字状に組み立てられた脚立Ｋの、水平方向に対向する一対の踏ざん部Ｋ１１、Ｋ１２の間に差し入れ、フック体１１、１３を踏ざん部Ｋ１１に、フック体１２、１４を踏ざん部Ｋ１２にそれぞれ係合させて該脚立Ｋに取り付ける。
【００２２】
図４は、図３（ｂ）のＹ１−Ｙ１線で切断した概略的断面図を示したもので、工具袋本体２内部にドライバーやネジなどの工具等ｂ（工具や部品など）を収納した使用状態を示している。なお、本実施例にあっては、一対のフック体１１、１２および１３、１４を脚立Ｋ最上段の踏ざん部Ｋ１１、Ｋ１２に取り付けたものを例示したが、これよりも下の段の踏ざん部に取り付けてもよい。
【００２３】
また、脚立用工具袋Ａへの工具等ｂの出し入れは、脚立Ｋの支柱Ｋ２１、Ｋ２１間または支柱Ｋ２１、Ｋ２２間のいずれからも行うことができ、作業者が工具等ｂを取り替える度、脚立Ｋを降りることなく作業を行うことができる。このように、脚立用工具袋Ａは、脚立Ｋ内側の空間Ｓ（脚立Ｋの対向する支柱Ｋ２１、Ｋ２２に囲まれた空間）を有効に利用して該空間Ｓ内に容易に取り付けることができ、該脚立用工具袋Ａが脚立Ｋからはみ出していない分、狭い作業スペースであっても容易に脚立Ｋを設置することができる。
【００２４】
ところで、図５に示したように、フック体１を断面略コ字状に形成し、該フック体１の対向する一方の部位１ａに雌ネジ１ｃを形成し、この雌ネジ１ｃに螺合する雄ネジ体５を設け、この雄ネジ体５の先端部５ａと、フック体１の対向する一方の部位１ａと反対側の他方の部位１ｂとの間に脚立Ｋの踏ざん部Ｋ１１、Ｋ１２を挟持し、該脚立用工具袋Ａを脚立Ｋに固定するようにしてもよい。
【００２５】
また、前述の工具袋本体２は、図６に示したように、一対のフック体１１、１２および１３、１４が近接する方向に折り畳み可能に形成してもよく、かかる構成の脚立用工具袋Ａにあっては、図７、図８に示したように、作業の終了後や脚立Ｋの移動時において支柱Ｋ２１、Ｋ２２を折り畳んだとき、工具袋本体２も併せて折り畳まれるため、その都度取り外す手間が省けて使い勝手が良い。
【符号の説明】
【００２６】
Ａ      脚立用工具袋
Ｋ      脚立
ｂ      工具等
１、１１、１２、１３、１４    フック体
２      工具袋本体
４      手持ち孔
５      雄ネジ体      
【図１】
0003149979.tif 000003
【図２】
0003149979.tif 000004
【図３】
0003149979.tif 000005
【図４】
0003149979.tif 000006
【図５】
0003149979.tif 000007
【図６】
0003149979.tif 000008
【図７】
0003149979.tif 000009
【図８】
0003149979.tif 000010